(57)【要約】【課題】かつら用固定具及びかつらにおいて、かつらを装着者の自毛に確実に固定する。【解決手段】かつら用固定具１は、ベース部１０と、このベース部１０の長手方向（矢印Ｄ１）に配列された上段側櫛歯２０，２０，・・・及び下段側櫛歯３０，３０，・・・と、を備え、上段側櫛歯２０は、両端が間隔をおいてベース部１０に固定された線材から形成され、隣接する上段側櫛歯２０との間でかつら装着者の自毛を挟持し、下段側櫛歯３０は、両端が間隔をおいてベース部１０に固定された線材から形成され、隣接する下段側櫛歯３０との間で自毛を挟持し、上段側櫛歯２０と下段側櫛歯３０とは、ベース部１０からの突出長さ（Ｌ１，Ｌ２）が互いに異なる。【選択図】図１Ａ
2011174199.tif 000002
【特許請求の範囲】
【請求項１】
ベース部と、
該ベース部の長手方向に配列された上段側櫛歯及び下段側櫛歯と、
を備え、
前記上段側櫛歯は、両端が間隔をおいて前記ベース部に固定された線材から形成され、隣接する上段側櫛歯との間でかつら装着者の自毛を挟持し、
前記下段側櫛歯は、両端が間隔をおいて前記ベース部に固定された線材から形成され、隣接する下段側櫛歯との間で前記自毛を挟持し、
前記上段側櫛歯と前記下段側櫛歯とは、前記ベース部からの突出長さが互いに異なる、
ことを特徴とするかつら用固定具。
【請求項２】
前記上段側櫛歯は、前記下段側櫛歯よりも、前記ベース部からの突出長さが長いことを特徴とする請求項１記載のかつら用固定具。
【請求項３】
前記上段側櫛歯及び前記下段側櫛歯は、前記線材の中心を円弧状に折り曲げられ、その折り曲げ部の両側の線材が互いに間隔をおいて前記ベース部に固定されていることを特徴とする請求項１又は請求項２記載のかつら用固定具。
【請求項４】
前記かつら用固定具は、かつら装着者の頭部に沿うように湾曲していることを特徴とする請求項１から請求項３のいずれか１項記載のかつら用固定具。
【請求項５】
前記上段側櫛歯と前記下段側櫛歯との隙間は、固定端から自由端にいくほど増加することを特徴とする請求項１から請求項４のいずれか１項記載のかつら用固定具。
【請求項６】
前記上段側櫛歯と前記下段側櫛歯とは、配列間隔が互いに同一であることを特徴とする請求項１から請求項５のいずれか１項記載のかつら用固定具。
【請求項７】
人工毛髪又は人毛を植毛されたかつらベースと、
該かつらベースに取付けられた、請求項１から請求項６のいずれか１項記載のかつら用固定具と、
を備えることを特徴とするかつら。
【発明の詳細な説明】
【技術分野】
【０００１】
本発明は、かつらを装着者の自毛に固定するのに用いられるかつら用固定具、及び、このかつら用固定具を備えるかつらに関する。
【背景技術】
【０００２】
かつらを装着する場合、一般的に、かつらを装着者の頭部に接着する手法や、自毛を挟持する位置と挟持しない位置とに反転自在なストッパによりかつらを装着者の自毛に固定する手法や、固定具の櫛歯を装着者の自毛に挿入することでかつらを固定する手法（例えば、特許文献１参照）がある。
【０００３】
ところで、従来、櫛歯を頭髪に差し込んで装着する付け毛や髪飾りなどが知られている（例えば、特許文献２参照）。これらは、一般的に一列直線状に櫛歯を並べた構造となっており、所望の位置で頭部に沿わせるように自毛に挿入するものである。
【先行技術文献】
【特許文献】
【０００４】
【特許文献１】実用新案登録第３１１６８１２号公報
【特許文献２】特許第２９０９０４８号公報
【発明の概要】
【発明が解決しようとする課題】
【０００５】
しかし、髪飾りなどは一時的・短期的な装着においては大きな支障は無いが、かつらのように、日常的、長期間に亘って装着する物においては、ズレたり外れたりする問題が生じやすい。
【０００６】
また、かつらは、装着していることを知られたくないのが通常である。そのため、かつらの固定には、上記の接着剤や反転自在なストッパが用いられており、髪飾りなどとは求められる強固さが異なる。このように、一般的な髪飾りの櫛歯をかつら用固定具として適用するのは困難である。
【０００７】
例えば、上記特許文献２に記載された飾り櫛は、櫛歯の間から装着者の自毛が抜けやすく、また、一度抜けてしまうとそれを補う構造にもなっていない。
なお、従来の髪飾りなどは、櫛歯を頭髪に差し入れる際に、頭髪の先端〜中央部分を掴んでしまい、頭髪の根元部分を十分に掴みきれていない状態で装着しているものが殆どである。頭髪の先端位置を掴んでしまうほど、頭髪の可動部分が広くなるため、装着しても容易に動いてしまう結果となる。
【０００８】
本発明の課題は、上記従来の実情に鑑み、櫛歯を用いて確実にかつらを装着者の自毛に固定することができるかつら用固定具及びかつらを提供することである。
【課題を解決するための手段】
【０００９】
本発明のかつら用固定具は、ベース部と、このベース部の長手方向に配列された上段側櫛歯及び下段側櫛歯と、を備え、上記上段側櫛歯は、両端が間隔をおいて上記ベース部に固定された線材から形成され、隣接する上段側櫛歯との間でかつら装着者の自毛を挟持し、上記下段側櫛歯は、両端が間隔をおいて上記ベース部に固定された線材から形成され、隣接する下段側櫛歯との間で前記自毛を挟持し、上記上段側櫛歯と上記下段側櫛歯とは、上記ベース部からの突出長さが互いに異なる構成とする。
【００１０】
好ましくは、上記上段側櫛歯は、上記下段側櫛歯よりも、上記ベース部からの突出長さが長い構成とする。
好ましくは、上記上段側櫛歯及び上記下段側櫛歯は、上記線材の中心を円弧状に折り曲げられ、その折り曲げ部の両側の線材が互いに間隔をおいて上記ベース部に固定されている構成とする。
【００１１】
好ましくは、上記かつら用固定具は、かつら装着者の頭部に沿うように湾曲している構成とする。
好ましくは、上記上段側櫛歯と上記下段側櫛歯との隙間は、固定端から自由端にいくほど増加する構成とする。
【００１２】
好ましくは、上記上段側櫛歯と上記下段側櫛歯とは、配列間隔が互いに同一である構成とする。
本発明のかつらは、人工毛髪又は人毛を植毛されたかつらベースと、このかつらベースに取付けられた上記いずれかの構成のかつら用固定具と、を備える構成とする。
【発明の効果】
【００１３】
本発明では、上段側櫛歯及び下段側櫛歯は、それぞれ隣接する櫛歯との間でかつら装着者の自毛を挟持し、上段側櫛歯と下段側櫛歯とは、ベース部からの突出長さが互いに異なる。
【００１４】
そのため、突出長さが長い方の櫛歯によりかつら装着者の自毛の先端〜中央付近側を挟持し、突出長さが短い方の櫛歯により自毛の根元部分側を挟持することで、かつらを強固に挟持することができる。
【００１５】
よって、本発明によれば、櫛歯を用いて確実にかつらを装着者の自毛に固定することができる。
【図面の簡単な説明】
【００１６】
【図１Ａ】本発明の一実施の形態に係るかつら用固定具を示す平面図である。
【図１Ｂ】本発明の一実施の形態に係るかつら用固定具を示す底面図である。
【図１Ｃ】本発明の一実施の形態に係るかつら用固定具を示す左側面図である。
【図１Ｄ】本発明の一実施の形態に係るかつら用固定具を示す斜視図である。
【図２】本発明の一実施の形態に係るかつら用固定具及びかつらを示す斜視図である。
【図３Ａ】本発明の一実施の形態に係るかつら用固定具を用いたかつら装着方法を説明するための斜視図（その１）である。
【図３Ｂ】本発明の一実施の形態に係るかつら用固定具を用いたかつら装着方法を説明するための斜視図（その２）である。
【図３Ｃ】本発明の一実施の形態に係るかつら用固定具を用いたかつら装着方法を説明するための斜視図（その３）である。
【図３Ｄ】本発明の一実施の形態に係るかつら用固定具を用いたかつら装着方法を説明するための斜視図（その４）である。
【図４Ａ】本発明の一実施の形態に係るかつら用固定具を示す平面図である。
【図４Ｂ】図４ＡのＡ１方向概略矢視図である。
【図５Ａ】本発明の一実施の形態の第１変形例に係るかつら用固定具を示す平面図である。
【図５Ｂ】図５ＡのＡ２方向概略矢視図である。
【図６】本発明の一実施の形態の第２変形例に係るかつら用固定具を示す斜視図である。
【図７】本発明の一実施の形態の第３変形例に係るかつら用固定具を示す平面図である。
【発明を実施するための形態】
【００１７】
以下、本発明の実施の形態に係るかつら用固定具及びかつらについて、図面を参照しながら説明する。
図１Ａ〜図１Ｄは、本発明の一実施の形態に係るかつら用固定具１を示す平面図、底面図、左側面図及び斜視図である。
【００１８】
図２は、本実施の形態に係るかつら用固定具１及びかつら１００を示す斜視図である。
かつら用固定具１は、ベース部１０と、このベース部１０の長手方向（Ｄ１）に配列された上段側櫛歯２０，２０，・・・及び下段側櫛歯３０，３０，・・・とを備え、例えば、ステンレス、真鍮、チタンなどの金属、或いは、プラスチックなどの合成樹脂からなる。
【００１９】
ベース部１０は、例えば一枚板状に形成した部材を中央で折り返し、上段側櫛歯２０及び下段側櫛歯３０の根元部分を挟み込んだ状態で図示しない連結具により連結することで構成されている。
【００２０】
なお、上段側櫛歯２０及び下段側櫛歯３０の根元部分に当接するベース部１０の内側部分に、上段側櫛歯２０及び下段側櫛歯３０の根元部分の形状に対応する溝を設けておくことで、上段側櫛歯２０及び下段側櫛歯３０を確実に保持することができると共に、かつら用固定具１の耐久性が向上する。
【００２１】
ベース部１０の形状については、かつら用固定具１を配置する位置に応じて決定すればよい。図２に示すようにかつら用固定具１がかつら１００の外周縁に配置される場合、かつら装着者２００の頭部に沿って湾曲させるように、外周縁に沿った曲線状（曲面状）に形成すればよい。また、かつら用固定具１が外周縁以外の部位に配置するのであれば、その部位に応じた適切な形状とすればよい。
【００２２】
なお、後述する上段側櫛歯２０及び下段側櫛歯３０を含むかつら用固定具１の全体も、かつら装着者２００の頭部２１０に沿うように湾曲している。
ベース部１０には、複数のかつら取付用孔１１が形成されている。かつら用固定具１は、例えばかつら取付用孔１１において、図２に示すかつら１００に縫着される。
【００２３】
各上段側櫛歯２０は、両端が間隔をおいてベース部１０に固定された線材から形成され、隣接する上段側櫛歯２０との間でかつら装着者２００の自毛２２０（図３Ａ〜図３Ｄ参照）を挟持する。具体的には、各上段側櫛歯２０は、線材の中心を円弧状に折り曲げられ、その折り曲げ部２１の両側の線材が互いに間隔Ｓ１（図１Ａ及び図１Ｂ参照）をおいてベース部１０に固定されている。
【００２４】
同様に、各下段側櫛歯３０は、両端が間隔をおいてベース部１０に固定された線材から形成され、隣接する下段側櫛歯３０との間でかつら装着者２００の自毛２２０を挟持する。具体的には、各下段側櫛歯３０は、線材の中心を円弧状に折り曲げられ、その折り曲げ部３１の両側の線材が互いに間隔Ｓ２（図１Ａ及び図１Ｂ参照）をおいてベース部１０に固定されている。
【００２５】
但し、上段側櫛歯２０及び下段側櫛歯３０の上記の形状は好ましい一例であり、上段側櫛歯２０及び下段側櫛歯３０は、両端が間隔をおいてベース部１０に固定された線材から形成され、隣接する櫛歯２０，３０との間で自毛２２０を挟持することができれば、他の形状としてもよい。
【００２６】
なお、上段側櫛歯２０及び下段側櫛歯３０には、例えば、ゴムチューブを通したり、シリコーンやウレタン樹脂を塗布したりすることで、自毛２２０の滑り止め加工を施すようにしてもよい。或いは、ベース部１０に滑り止め加工を施すことで、かつら用固定具１の位置ずれを防ぐようにしてもよい。また、ベース部１０、上段側櫛歯２０又は下段側櫛歯３０に、吸水速乾、涼感加工、静電気防止処理、抗菌処理などの目的で各種機能性材料を配置するようにしてもよい。
【００２７】
上段側櫛歯２０の配列間隔Ｐ１、即ち、上段側櫛歯２０が設けられている間隔（上段側櫛歯２０の中心間距離）は、下段側櫛歯３０の配列間隔Ｐ２と同一である。また、上段側櫛歯２０と下段側櫛歯３０とは、互いに対向するように同じ数だけ配置されている。
【００２８】
図１Ａ及び図１Ｂに示すように、上段側櫛歯２０のベース部１０からの突出長さは、長さＬ１であり、下段側櫛歯３０のベース部１０からの突出長さは、長さＬ１よりも短い長さＬ２である。このように、上段側櫛歯２０と下段側櫛歯３０とは、ベース部１０からの突出長さが互いに異なる。なお、上段側櫛歯２０は、かつら用固定具１によりかつら１００を固定した状態で下段側櫛歯３０よりも図２に示す頭部２１０の外側に位置する。
【００２９】
図１Ｃに示すように、上段側櫛歯２０と下段側櫛歯３０との隙間Ｓ３は、ベース部１０に挟み込まれた根元部分（固定端）では、ほぼ０（ゼロ）であるのに対し、固定端（ベース部１０）から自由端（折り曲げ部２１，３１）にいくほど増加する。
【００３０】
かつら用固定具１は、かつら１００のうち、例えば図２に示すように、かつら装着者２００の頭部２１０の前頭部に対応する部分及び後頭部に対応する部分のそれぞれに、櫛歯２０，３０が互いに対向するように計２つ配置される。
【００３１】
なお、かつら１００のうち人工毛髪又は人毛を植毛されるかつらベース１１０，１２０は、本実施の形態では、後頭部に対応する部分のみに位置するかつらベース１２０と、それ以外の部分に位置するかつらベース１１０とで異なる材料からなる。
【００３２】
後頭部側のかつらベース１２０は、例えばスパンデックスからなる伸縮性ネットで形成され、後頭部側のかつら用固定具１が配置されている。また、もう一方のかつらベース１１０は、ポリエステル又はナイロンなどからなり、後頭部側のかつらベース１２０よりも伸縮性が低い。かつらベース１１０には、前頭部側のかつら用固定具１が配置されている。
【００３３】
図２に示すようにかつら１００をかつら装着者２００の頭部２１０に装着する場合、装着方法については後述するが、まず前頭部側のかつら用固定具１を固定した後、後頭部側のかつら用固定具１を、かつらベース１２０を引き延ばしながら固定することで、かつら１００を頭部２１０に密着させて装着することができる。
【００３４】
なお、頭部２１０は後頭部の方が湾曲の度合いが強く、また、前頭部からかつら１００を装着することが多いため、伸縮性ネットで形成されたかつらベース１２０を後頭部に配置した例を説明したが、伸縮性ネットはかつら１００の他の部分に配置してもよく、例えば、かつら用固定具１を配置していない部分に形成しても、伸縮性を利用してかつら１００を固定することは可能である。
【００３５】
図３Ａ〜図３Ｄは、かつら用固定具１を用いたかつら装着方法を説明するための斜視図である。
まず、図３Ａに示すように、かつら用固定具１を頭部２１０に対して一定角度傾けた状態で自毛２２０に挿入する。このとき、上段側櫛歯２０は、隣接する上段側櫛歯２０との間で自毛２２０の先端から中央付近を挟持する。
【００３６】
なお、上段側櫛歯２０は、下段側櫛歯３０よりも、ベース部１０からの突出長さが長い分（Ｌ１＞Ｌ２）、下段側櫛歯３０よりも自毛２２０を挟持する力が弱くなっている。
次に、図３Ｂに示すように、かつら用固定具１を自毛２２０にそのまま挿入することで、図３Ｃに示すように自毛２２０の先端が持ち上げられ、自毛２２０の根元部分が露出した状態となる。
【００３７】
これにより、図３Ｄに示すように、下段側櫛歯３０が、隣接する下段側櫛歯３０との間で自毛２２０の根元部分を、上段側櫛歯２０よりも強い力で挟持する。このように上段側櫛歯２０及び下段側櫛歯３０が自毛２２０を二重に挟持することで、かつら用固定具１ひいてはかつら１００が頭部２１０に確実に固定される。
【００３８】
図４Ａは、本実施の形態に係るかつら用固定具１を示す平面図であり、図４Ｂは、図４ＡのＡ１方向概略矢視図である。
図５Ａは、本実施の形態の第１変形例に係るかつら用固定具３０１を示す平面図であり、図５Ｂは、図５ＡのＡ２方向概略矢視図である。
【００３９】
本実施の形態の上述のかつら用固定具１では、図４Ａに示すように上段側櫛歯２０と下段側櫛歯３０とが互いに対向するように配置されているため、図２に示すかつら装着者２００の自毛２２０は、図４Ｂに示すように、上段側櫛歯２０及び下段側櫛歯３０の両方に挟持されるか、或いは、上段側櫛歯２０の自由端側において上段側櫛歯２０にのみ挟持される。
【００４０】
一方、図５Ａに示す第１変形例に係るかつら用固定具３０１のようにベース部３１０の長手方向に配列された上段側櫛歯３２０及び下段側櫛歯３３０が図１Ａ及び図１Ｂに示す配列間隔（Ｐ１，Ｐ２）が互いに同一であっても配列方向にずれている場合、自毛２２０は、図５Ｂに示すように、上段側櫛歯３２０に挟持され且つベース部３１０の配列方向にずれて下段側櫛歯３３０に挟持されるか（自毛２２０−１）、或いは、上段側櫛歯３２０の自由端側において上段側櫛歯３２０にのみ挟持される（自毛２２０−２）。
【００４１】
このように、図５Ａ及び図５Ｂに示す第１変形例に係るかつら用固定具３０１のように上段側櫛歯３２０及び下段側櫛歯３３０が互いにずれていても、自毛２２０を上段側櫛歯３２０及び下段側櫛歯３３０の両方により挟持してかつら１００を図２に示すかつら装着者２００の頭部２１０に強固に固定することができる。
【００４２】
図６は、本実施の形態の第２変形例に係るかつら用固定具４０１を示す斜視図である。
図６に示すかつら用固定具４０１は、ベース部４１０の長手方向（矢印Ｄ１）に配列された上段側櫛歯４２０、下段側櫛歯４３０及び中段櫛歯４４０を備える。
【００４３】
中段櫛歯４４０は、上段側櫛歯４２０と同じ長さ又はそれ以下の長さで、且つ、下段側櫛歯４３０と同じ長さ又はそれ以上の長さとするとよい。このようにすることで、中段櫛歯４４０は、上段側櫛歯４２０及び下段側櫛歯４３０の機能をあまり妨げずに、隣接する中段櫛歯４４０との間で自毛を挟持することができる。
【００４４】
なお、櫛歯を４段以上に配置することも可能であるが、かつら用固定具４０１の厚みが増すため、櫛歯４２０，４３０，４４０やベース部４１０を薄い部材とする必要が生じる。
【００４５】
図７は、本実施の形態の第３変形例に係るかつら用固定具５０１を示す平面図である。
図７に示すかつら用固定具５０１は、ベース部５１０の長手方向（矢印Ｄ１）に配列された上段側櫛歯５２０及び下段側櫛歯５３０の、ベース部５１０からの突出長さが位置によって異なる。具体的には、図７の紙面右側から左側にいくほど上段側櫛歯５２０及び下段側櫛歯５３０の突出長さが長くなる（Ｌ１２＞Ｌ１１，Ｌ２２＞Ｌ２１）。
【００４６】
このように、位置によって突出長さが異なる上段側櫛歯５２０及び下段側櫛歯５３０を用いることで、例えば、同じ段の櫛歯であっても短い櫛歯によって長い櫛歯よりも強固に自毛を挟持するようにすることができる。そのため、かつら１００の髪型等に応じて、適宜の長さの櫛歯を用いるようにすればよい。
【００４７】
なお、図７に示すかつら用固定具５０１においても、上段側櫛歯５２０が下段側櫛歯５３０よりもベース部５１０からの突出長さが長いが、部分的に下段側櫛歯５３０が上段側櫛歯５２０よりも長くなっていてもよい。
【００４８】
以上説明した本実施の形態では、上段側櫛歯２０及び下段側櫛歯３０は、それぞれ隣接する櫛歯２０，３０との間でかつら装着者２００の自毛２２０を挟持する。また、上段側櫛歯２０と下段側櫛歯３０とは、ベース部１０からの突出長さＬ１，Ｌ２が互いに異なる。
【００４９】
そのため、突出長さが長い上段側櫛歯２０によりかつら装着者２００の自毛２２０の先端〜中央付近側を挟持し、突出長さが短い下段側櫛歯３０により自毛２２０の根元部分側を挟持することで、自毛２２０を強固に挟持することができる。
【００５０】
よって、本実施の形態によれば、櫛歯を用いて確実にかつら１００を装着者２００の自毛２２０に固定することができる。
また、本実施の形態では、上段側櫛歯２０及び下段側櫛歯３０は、線材の中心を円弧状に折り曲げられ、その折り曲げ部２１，３１の両側の線材が互いに間隔Ｓ１，Ｓ２をおいてベース部１０に固定されている。そのため、櫛歯２０，３０が頭部２１０や自毛２２０を傷つけずに且つ自毛２２０を挟持しやすくすることができる。
【００５１】
また、本実施の形態では、かつら用固定具１は、かつら装着者２００の頭部２１０に沿うように湾曲している。そのため、かつら用固定具１が頭部２１０に密着しやすくなる。
また、本実施の形態では、上段側櫛歯２０と下段側櫛歯３０との隙間Ｓ３は、固定端から自由端にいくほど増加する。そのため、かつら１００を固定する段階で、自毛２２０を下段側櫛歯３０に引き寄せ下段側櫛歯３０により自毛２２０を挟持しやすくすることができる。また、図２に示すようにかつら用固定具１を櫛歯２０，３０が互いに対向するように配置してかつら１００を固定した後では、上段側櫛は２０がかつらベース１１０，１２０を特に中央部分において頭部２１０に沿うように張らせることができ、したがって、かつら１００の頭部２２０への密着性を向上させることもできる。
【００５２】
また、本実施の形態では、上段側櫛歯２０と下段側櫛歯３０とは、配列間隔が互いに同一である。そのため、自毛２２０を強固に挟持することができる。
【符号の説明】
【００５３】
１      かつら用固定具
１０      ベース部
１１      かつら取付用孔
２０      上段側櫛歯
２１      折り曲げ部
３０      下段側櫛歯
３１      折り曲げ部
１００      かつら
１１０，１２０      かつらベース
２００      かつら装着者
２１０      頭部
２２０      自毛
３０１      かつら用固定具
３１０      ベース部
３２０      上段側櫛歯
３３０      下段側櫛歯
４０１      かつら用固定具
４１０      ベース部
４２０      上段側櫛歯
４３０      下段側櫛歯
４４０      中段櫛歯
５０１      かつら用固定具
５１０      ベース部
５２０      上段側櫛歯
５３０      下段側櫛歯
【図１Ａ】
2011174199.tif 000003
【図１Ｂ】
2011174199.tif 000004
【図１Ｃ】
2011174199.tif 000005
【図１Ｄ】
2011174199.tif 000006
【図２】
2011174199.tif 000007
【図３Ａ】
2011174199.tif 000008
【図３Ｂ】
2011174199.tif 000009
【図３Ｃ】
2011174199.tif 000010
【図３Ｄ】
2011174199.tif 000011
【図４Ａ】
2011174199.tif 000012
【図４Ｂ】
2011174199.tif 000013
【図５Ａ】
2011174199.tif 000014
【図５Ｂ】
2011174199.tif 000015
【図６】
2011174199.tif 000016
【図７】
2011174199.tif 000017
【手続補正書】
【提出日】平成22年8月26日(2010.8.26)
【手続補正１】
【補正対象書類名】特許請求の範囲
【補正対象項目名】全文
【補正方法】変更
【補正の内容】
【特許請求の範囲】
【請求項１】
ベース部と、
該ベース部の長手方向に配列された上段側櫛歯及び下段側櫛歯と、
を備え、
前記上段側櫛歯は、両端が間隔をおいて前記ベース部に固定された線材から形成され、隣接する上段側櫛歯との間でかつら装着者の自毛を挟持し、
前記下段側櫛歯は、両端が間隔をおいて前記ベース部に固定された線材から形成され、隣接する下段側櫛歯との間で前記自毛を挟持し、
前記上段側櫛歯と前記下段側櫛歯とは、前記ベース部からの突出長さが互いに異なり、
前記上段側櫛歯と前記下段側櫛歯との隙間は、固定端から自由端にいくほど増加する、
ことを特徴とするかつら用固定具。
【請求項２】
前記上段側櫛歯は、前記下段側櫛歯よりも、前記ベース部からの突出長さが長いことを特徴とする請求項１記載のかつら用固定具。
【請求項３】
前記上段側櫛歯及び前記下段側櫛歯は、前記線材の中心を円弧状に折り曲げられ、その折り曲げ部の両側の線材が互いに間隔をおいて前記ベース部に固定されていることを特徴とする請求項１又は請求項２記載のかつら用固定具。
【請求項４】
前記かつら用固定具は、かつら装着者の頭部に沿うように湾曲していることを特徴とする請求項１から請求項３のいずれか１項記載のかつら用固定具。
【請求項５】
前記上段側櫛歯と前記下段側櫛歯とは、配列間隔が互いに同一であることを特徴とする請求項１から請求項４のいずれか１項記載のかつら用固定具。
【請求項６】
人工毛髪又は人毛を植毛されたかつらベースと、
該かつらベースに取付けられた、請求項１から請求項５のいずれか１項記載のかつら用固定具と、
を備えることを特徴とするかつら。
【手続補正２】
【補正対象書類名】明細書
【補正対象項目名】０００９
【補正方法】変更
【補正の内容】
【０００９】
本発明のかつら用固定具は、ベース部と、このベース部の長手方向に配列された上段側櫛歯及び下段側櫛歯と、を備え、上記上段側櫛歯は、両端が間隔をおいて上記ベース部に固定された線材から形成され、隣接する上段側櫛歯との間でかつら装着者の自毛を挟持し、上記下段側櫛歯は、両端が間隔をおいて上記ベース部に固定された線材から形成され、隣接する下段側櫛歯との間で前記自毛を挟持し、上記上段側櫛歯と上記下段側櫛歯とは、上記ベース部からの突出長さが互いに異なり、上記上段側櫛歯と上記下段側櫛歯との隙間は、固定端から自由端にいくほど増加する構成とする。
【手続補正３】
【補正対象書類名】明細書
【補正対象項目名】００１１
【補正方法】変更
【補正の内容】
【００１１】
好ましくは、上記かつら用固定具は、かつら装着者の頭部に沿うように湾曲している構成とする。